(57)【特許請求の範囲】
【請求項１】
外障子の召合框にネジ止め固定されるクレセント受け部と、クレセント受け部の下方位置に回動自在に支持される制限アームと、内障子の召合框の外周面に固定されるクレセント部とを備え、
クレセント部と制限アームは、クレセント部に制限アームがスライド自在及び回動自在に係合される係合状態と、クレセント部に制限アームが係合されない非係合状態とを選択可能であり、
クレセント受け部は、制限アームの支持部よりも上方位置において、召合框の室内側壁にネジ止め固定されるとともに、ネジ止め固定位置よりも上方位置で召合框に対して内周側から当接する当接部を備える
ことを特徴とする開閉制限ストッパー。
【請求項２】
開口部に設けられる枠体と、枠体に引違い自在に配置される内、外障子と、請求項１記載の開閉制限ストッパーを備える
ことを特徴とする建具。
【発明の詳細な説明】
【技術分野】
【０００１】
引違い窓の開放幅を所定範囲に制限する開放制限ストッパー、及び開放制限ストッパーを備える引違い建具に関する。
【背景技術】
【０００２】
従来、引違い窓の開放幅を所定範囲に制限するために、引違い窓の召合框に設けられる開放制限ストッパーは公知となっている。(特許文献１)
この特許文献１の開放制限ストッパーは、外障子の召合框に取付けられたクレセント受け部に制限（牽制）アームの一方端を回動自在に支持し、制限アームに形成されたスライド溝に内障子の召合框に取付けられたピンをスライド自在に係合させることによって、引違い障子の開放幅を制限するものである。
【先行技術文献】
【特許文献】
【０００３】
【特許文献１】特許第４２１６９７２号
【発明の概要】
【発明が解決しようとする課題】
【０００４】
しかし、上記特許文献１のように、障子の開放を制限する制限アームを外障子の召合框に設けられるクレセント受け部によって支持すると、障子の開放を制限する際にクレセント受け部に引張り力（外力）がかかり、クレセント受け部がずれたり、斜めにゆがむなどして、クレセントの施錠が適正に行われなくなるおそれがあった。
【０００５】
本発明は、上記の事情を鑑みたものであり、障子の開放を制限する際に制限アームに生じる引っ張り力（外力）によって、制限アームを支持するクレセント受け部がずれたり、斜めにゆがむことがない開放制限ストッパーを提供することを目的とする。
【課題を解決するための手段】
【０００６】
本発明は、外障子の召合框にネジ止め固定されるクレセント受け部と、クレセント受け部の下方位置に回動自在に支持される制限アームと、内障子の召合框の外周面に固定されるクレセント部とを備え、クレセント部と制限アームは、クレセント部に制限アームがスライド自在及び回動自在に係合される係合状態と、クレセント部に制限アームが係合されない非係合状態とを選択可能であり、クレセント受け部は、制限アームの支持部よりも上方位置において、召合框の室内側壁にネジ止め固定されるとともに、ネジ止め固定位置よりも上方位置で召合框に対して内周側から当接する当接部を備えることを特徴とする。
【発明の効果】
【０００７】
本発明によれば、クレセント錠を構成する部材を利用しながら障子の開放を制限する開放制限ストッパーを配置することができるとともに、配置された開放制限ストッパーのクレセント受け部に障子の開放時にかかる外力によってずれやゆがみが生じることを抑制できる。
【図面の簡単な説明】
【０００８】
【図１】本発明の実施形態に係るストッパーを備えた引違い建具の内観図である。
【図２】本実施形態の引違い窓開放制限ストッパーを構成するクレセント部の図であり、（ａ）は内障子の左縦框のクレセント部が取り付けられている部分の内観図であり、（ｂ）は同側面（外周側）図であり、（ｃ）は同横断面図である。
【図３】本実施形態の建具の外障子の右縦框の図であり、（ａ）は引違い窓開放制限ストッパーを構成するクレセント受け部を取り付ける部分の横断面図であり、（ｂ）は同正面（内観）図であり、（ｃ）は同側面（内周側）図である。
【図４】本実施形態の引違い窓開放制限ストッパーを構成するクレセント受け部の部品図であり、（ａ）はクレセント受け部の錠受け部の図であり、（ｂ）は同固定部材の図であり、（ｃ）は固定部材に錠受け部を連結した状態の側面（内周側）図であり、（ｄ）は同平面図である。
【図５】本実施形態の引違い窓開放制限ストッパーを構成するクレセント受け部の図であり、（ａ）は外障子の右縦框のクレセント受け部が取り付けられている部分の内観図であり、（ｂ）は同横断面図である。
【図６】本実施形態の引違い窓開放制限ストッパーの図であり、（ａ）（ｂ）は内障子外周側より見た側面図であり、（ｃ），（ｄ）はその一部拡大図である。
【図７】本実施形態の引違い窓開放制限ストッパーの図であり、（ａ）は障子を少し開放した状態の正面（内観）図であり、（ｂ）は同横断面図である。
【図８】本実施形態の引違い窓開放制限ストッパーの図であり、（ａ）は障子の開放が制限された状態の正面（内観）図であり、（ｂ）は同横断面図である。
【発明を実施するための形態】
【０００９】
（建具の全体構成）
本発明の実施形態である開放制限ストッパー及び開放制限ストッパーを備えた引き違い窓について、図を示しながら説明する。
本発明の実施形態に係る開放制限ストッパーを備える引違い窓は、図１に示すように、上枠１１、下枠１２及び左、右縦枠１３，１４を四周組にしてなる枠体１に対して、上框２１、下框２２及び左、右縦框２３，２４を四周組みにし、内周にガラス等のパネル体２５を装着してなる内障子２と、上框３１、下框３２及び左、右縦框３３，３４を四周組みにし、内周にガラス等のパネル体３５を装着してなる外障子３とを引違い自在に配置されてなる引違いサッシとして構成されている。
【００１０】
本実施形態の引違いサッシは、内障子２の召合框である左縦框２３の外周面に固定されるクレセント部５と、外障子３の召合框である右縦框３４にネジ止め固定されるクレセント受け部６とによって施錠手段が構成されている。そして、クレセント受け部６には、クレセント部５に対してスライド自在及び回動自在に係合可能な制限アーム７が設けられており、クレセント部５とクレセント受け部６と制限アーム７とによって、引違い窓開放制限ストッパーＡが構成されている。
【００１１】
（クレセント部の構成）
本実施形態の引違い窓開放制限ストッパーＡを構成するクレセント部５は、図２（ａ），（ｂ），（ｃ）に示すように、内障子２の左縦框２３の外周面に固定される固定台座５２と、固定台座５２の外周側面に固定されるクレセント５１（図２中、点線により記載する。）により構成されている。
【００１２】
固定台座５２は、内障子２の左縦框２３の外周面に当接して固定される固定板部５２１と固定板部５２１の下方に形成されるピン支持部５２２とからなる。固定板部５２１は略平板状をなしており、図２（ｂ）に示すように、上下方向に長い長ネジ孔５２１ａと、長ネジ孔５２１ａの下方位置に配置された丸ネジ孔５２１ｂとが形成されている。
ピン支持部５２２は固定板部５２１の下方に連続して形成されて略ブロック状をなし、その室外側面からは、図２（ｂ），（ｃ）に示すように、ピン５２２ａが見込み方向に移動自在に突出している。そして、ピン５２２ａの先端にはピン５２２ａよりも径の大きいピン頭部５２２ｂが形成されており、ピン５２２ａの見込み方向への移動によって、ピン頭部５２２ｂが制限アーム７に形成されたスライド溝部７１１に係合する係合位置と前記スライド溝部７１１に係合しない非係合位置とに変更自在に構成されている。
【００１３】
クレセント５１は、クレセント錠を構成する周知のクレセントと構成上特に変わるものではなく、ハンドルを回動してクレセント５１の係合部５１１をクレセント受け部に係合することにより、内外障子を２，３の施錠を可能にするものである。
クレセント５１の上下離間した位置には、上下方向に長い長ネジ孔５１ａ，５１ｂが形成されており、左縦框２３の外周面に固定台座５２を配置するとともに、固定台座５２の外周面に対してクレセント５１を当接させた状態で、クレセント５１の長ネジ孔５１ａ，５１ｂと固定台座５２の長ネジ孔５２１ａ及び丸ネジ孔５２１ｂとを左縦框２３の外周面にネジ止め固定することにより、クレセント部５が設けられている。
【００１４】
（クレセント受け部の構成）
本実施形態の引違い窓開放制限ストッパーＡを構成するクレセント受け部６は、クレセント５１と協働して内、外障子２，３の施錠を行う錠受け部６２と、錠受け部６２を外障子３の召合框である右縦框３４に固定する固定部材６１とにより構成されている。
【００１５】
クレセント受け部６の固定部材６１が固定される右縦框３４は、図３（ａ）に示すように、内周壁３４１ａ，外周壁３４１ｂ及び室内壁３４１ｃ，室外壁３４１ｄにより構成され中空形状をなす中空本体部３４１と、中空本体部３４１の内周側に形成されるパネル間口３４２とからなり、図３（ａ），（ｃ）に示すように、パネル間口３４２を構成する室内側壁部３４２ａ、室外側壁部３４２ｂの内周側端部は相互に近接するように屈曲されてグレイチングチャンネル８を固定するための係止片３４２ｃ，３４２ｄが形成されている。そして、図３（ａ），（ｂ），（ｃ）に示すように、右縦框３４のクレセント受け部６が固定される位置において、室内側壁部３４２ａの係止片３４２ｃが切欠かれて切欠部３４２ｅが形成されており、切欠部３４２ｅが形成された位置の中空本体部３４１の内周壁３４１ａには開口３４１ｅが形成されている。また、右縦框３４の室内側面には、図３（ｂ）に示すように、左右方向に長い長ネジ孔３４１ｆ，３４１ｆが上下に離間させて穿設されているとともに、内障子２の左縦框２３とともに煙返しを形成する煙返し片３４１ｇが形成されている。
なお、上記実施形態の右縦框３４には、開放制限機能を備えない周知のクレセント受けを固定することができ、周知のクレセント受けに一体的に形成された挿入部をパネル間口３４２に挿入するとともに、右縦框３４に形成された長ネジ孔３４１ｆ，３４１ｆを利用することでクレセント受けを左右位置の調節をしながら固定することができる。
【００１６】
クレセント受け部６の固定部材６１は、図４（ｂ）に示すように、右縦框３４のパネル間口３４２内に挿入される挿入部６１１とパネル間口３４２よりも内周側に突出する連結部６１２とからなる。
挿入部６１１の先端部分には中空本体部３４１の開口３４１ｅに挿入されるように幅狭部６１１ａが形成されており、挿入部６１１の幅狭部６１１ａの上方位置には、幅狭部６１１ａを開口３４１ｅに挿入した際に中空本体部３４１の内周壁３４１ａに当接する当接部としての肩部６１１ｂが形成されている。そして、挿入部６１１の幅狭部６１１ａ近傍には上下二段にネジ孔６１１ｃ，６１１ｃが形成されている。
【００１７】
連結部６１２は、挿入部６１１よりも上下方向の幅が大きく上下に張出部６１２ａ，６１２ｂを有して形成されており、挿入部６１１に対して連結部６１２をやや室内側に張り出すように段部６１１ｄを介して連設されている。連結部６１２の上方の張出部６１２ａには、外周側の端辺が室外方向に屈曲されることでパネル間口３４２の係止片３４２ｃに当接する当接部としての見込み片部６１２ｃが形成されている。
一方、連結部６１２の下方の張出部６１２ｂには、制限アーム７の一方端を回動自在に支持する支持軸６１３が設けられているとともに、支持軸６１３の下方位置には外周側の端辺が室内側に屈曲されることで制限アーム７がクレセント受け部６の連結部６１２より外周側に回動することを規制する回転規制片６１２ｄが形成されている。
そして、連結部６１２の高さ方向略中央部位に上下二段に左右方向に長い長ネジ孔６１２ｅ，６１２ｅが形成されている。
【００１８】
クレセント受け部６の錠受け部６２は、図４（ａ）に示すように、略中央に開口部６２２を有する略矩形平板状の錠受け本体部６２１からなり、錠受け本体部６２１の外周側部位には、固定部材６１の連結部６１２に形成された長ネジ孔６１２ｅ，６１２ｅにネジ止め固定するためのネジ孔６２１ａ，６２１ａが上下二段に形成されている。
錠受け部６２の錠受け本体部６２１に形成された開口部６２２の内周側辺には係合爪６２３が室内側及び外周側に向かって屈曲して立ち上がって形成されている。そして、図４（ｃ），（ｄ）に示すように、錠受け部６２の室内側面を固定部材６１の室外側面に当接させて、ネジ孔６２１ａ，６２１ａと固定部材６１の長ネジ孔６１２ｅ，６１２ｅをネジ等の固定手段ｂ，ｂにより固定することで、錠受け部６２を左右方向に調節した上で連結することができる。
なお、図４（ａ）に示す錠受け部６２の錠受け本体部６２１には、左右方向に４本のリブ６２１ｂが形成されており、錠受け部６２の強度を高めている。
【００１９】
そして、右縦框３４のパネル間口３４２に対して、錠受け部６２が連結された固定部材６１を内周側から挿入して固定することにより、右縦框３４にクレセント受け部６が形成される。
具体的には、図５（ａ），（ｂ）に示すように、右縦框３４のパネル間口３４２の切欠部３４２ｅに対して、固定部材６１の挿入部６１１を内周側より挿入し、幅狭部６１１ａをパネル間口３４２の底壁を構成する中空本体部３４１の内周壁３４１ａの開口３４１ｅに嵌め込むことにより、挿入部６１１の肩部６１１ｂが内周壁３４１ａに当接するとともに、連結部６１２の見込み片部６１２ｃがパネル間口３４２の係止片３４２ｃに対して面で当接することにより固定部材６１の位置決めがなされる。
位置決めがなされた固定部材６１は、連結部６１２に形成された上下二段のネジ孔６１１ｃ，６１１ｃが右縦框３４に形成された長ネジ孔３４１ｆ，３４１ｆの左側端に配置され、両者をネジ等の固定手段ｂ，ｂにより固定することで、固定部材６１を右縦框３４に対して内周方向に移動不能に固定することができる。
なお、固定部材６１に対する錠受け部６２の連結は、固定部材６１を右縦框３４に固定した後に行うことも可能である。
【００２０】
（制限アームの構成）
本実施形態の引違い窓開放制限ストッパーＡを構成する制限アーム７は、アルミニウムやステンレス等からなり、図５（ａ）に示すように、長尺平板状のアーム本体部７１と、アーム本体部７１の長手方向の一方端から段差を有して連設されるアーム係合部７２とから形成されている。
制限アーム７の一方側を構成するアーム係合部７２は、クレセント受け部６の連結部６１２の下方の張出部６１２ｂに設けられた支持軸６１３に対して回動自在に支持されており、アーム本体部７１には略全長に亘ってスライド溝部７１１が形成されている。
アーム本体部７１に形成されたスライド溝部７１１は、一方側（アーム係合部７２側）にクレセント部５のピン頭部５２２ｂよりも幅広の幅広部７１１ａを備えており、幅広部７１１ａに連続してピン頭部５２２ｂよりも幅狭のスライド部７１１ｂが連続しているとともに、その先端は障子の開放を制限する先端部７１１ｃとして閉じられている。
そして、制限アーム７は、その自由状態において支持軸６１３からほぼ垂直に支持され、アーム係合部７２の外周側が連結部６１２の回転規制片６１２ｄに当接して、外周方向への回転が阻止されている。
【００２１】
（開放制限ストッパーによる開放制限）
以上のように構成された開放制限ストッパーＡによる引違いサッシの開放制限について、以下に説明する。
本実施形態の開放制限ストッパーＡによって引き違い窓の開放を制限するときには、図６（ａ），（ｃ）に示すように、内、外障子２，３の閉鎖状態において、クレセント部５のピン５２２ａをピン支持部５２２より室外側に突出させる。これによって、制限アーム７に形成されたスライド溝部７１１の幅広部７１１ａに対してピン５２２ａのピン頭部５２２ｂが挿入されクレセント部５と制限アーム７は、クレセント部５に制限アーム７がスライド自在及び回動自在に係合される係合状態となる。
【００２２】
係合状態、すなわちクレセント部５のピン５２２ａをスライド溝部７１１に係合した状態で内障子２を開放（左方向にスライド）すると、図７（ａ），（ｂ）に示すように、ピン５２２ａはスライド溝部７１１の幅広部７１１ａからスライド部７１１ｂに移動するとともに、制限アーム７自体が支持軸６１３を中心にして回動する。
スライド溝部７１１のスライド部７１１ｂの幅寸法はピン５２２ａのピン頭部５２２ｂの寸法よりも幅狭に形成されているので、ピン頭部５２２ｂがスライド溝部７１１から抜けることがなく、制限アーム７を回動させながらスムーズにスライドすることができる。
【００２３】
内障子２をさらに開放すると、図８（ａ），（ｂ）に示すように、やがてピン５２２ａがスライド部７１１ｂの先端部７１１ｃに当接し、それ以上のスライドを規制して開放を制限することができる。
ピン５２２ａがスライド部７１１ｂの先端部７１１ｃに当接するときに、内障子２を開放しようとする力により制限アーム７には、図中左方向に引っ張る力が働き、この引っ張り力は制限アーム７を回動自在に支持している支持軸６１３を介して固定部材６１に伝達されることになるが、固定部材６１は右縦框３４に形成された長ネジ孔３４１ｆの左端部にネジ止め固定されているので、それ以上の左（内周）方向への移動が規制され、引っ張り力によって固定部材６１さらにはクレセント受け部６が左右方向にずれることが抑制される。
また、支持軸６１３に働く引っ張り力は、ネジ止め固定部ｂを中心とした時計回りの回転モーメントとして固定部材６１に作用するが、固定部材６１には、ネジ止め固定部ｂよりも上方位置において外障子３の右縦框３４の係止片３４２ｃに内周側から当接する見込み片部６１２ｃ及び右縦框３４の内周壁３４１ａに内周側から当接する肩部６１１ｂを備えているので、固定部材６１の回転を抑制し、回転によるゆがみを防止することができる。
【００２４】
一方、本実施形態の開放制限ストッパーＡによる引き違い窓の開放制限を行わないときには、図６（ｂ），（ｄ）に示すように、クレセント部５に設けたピン５２２ａを突出させることなく非係合位置に配置する。これにより、制限アーム７に形成されたスライド溝部７１１の幅広部７１１ａに対してピン５２２ａのピン頭部５２２が挿入することなく、クレセント受５と制限アーム７は、クレセント受５に制限アーム７が係合しない非係合状態となる。
クレセント受５と制限アーム７とが非係合状態となることによって、内、外障子２，３の開閉にかかわらず、図５（ａ）に示すように、制限アーム７は支持軸６１３から略垂直に支持されて回転規制片６１２ｄに当接もしくは近接した状態を維持することとなり、内、外障子２，３はなんら制限を受けることなく開放することができる。
このように、本実施形態の開放制限ストッパーＡにおいては、クレセント受５と制限アーム７とを係合状態として引違い窓の開放制限を行う状態と、クレセント受５と制限アーム７とを非係合状態として引違い窓の開放制限を行わない状態とを選択することができる。
【００２５】
以上のように、本実施形態の開放制限ストッパーは、内外障子の開放を制限する制限アームが支持されるクレセント受け部の固定部材は、外障子の召合框の室内側壁に形成された長ネジ孔の左（内周側）端部においてネジ止め固定されるので、障子の開放時にかかるクレセント受けを引っ張る力に対して、長ネジ孔の左（内周側）端部で受けて対抗することができるので、固定部材６１が内周方向（図中左方向）にずれることを抑制することができる。特に、長ネジ孔を上下二段に設けることにより、その抑制力は強くなるとともに、固定部材６１の傾斜を抑制することができる。
そして、固定部材は、長ネジ孔の左（内周側）端部におけるネジ止め固定位置よりも上方位置において、召合框の係止片に内周側から当接する見込み片部や召合框の内周壁に内周側から当接する肩部を備えているので、固定部材の制限アームが引っ張られることによって、長ネジ孔の左端部を中心にして生じる時計回りの回転力に対して、見込み片部や肩部の当接により対抗することができるので、固定部材の回動を抑制し、クレセント受けが斜めにずれることを防止することができる。
このとき、固定部材の見込み片部は見込み幅を備えており、召合框の内周面に対して面で当接するので、召合框に対して確実に当接することができ、固定部材にかかる回転力を確実に規制することができる。
【００２６】
また、開放制限ストッパー、特にクレセント受け部を外障子の右縦框に取り付けるための構成を、従来周知のクレセント受けを取り付けるための構成と基本的に同じくすることができるので、縦框に特別な加工を施すことなく引違いサッシに開放制限ストッパーを備えたクレセント錠を装着することができる。
そして、開放制限ストッパーの固定部材の取付けは、固定部材をガラス間口に設けた切欠部から外周方向に挿入するだけで行うことができ、障子を分解することなく開放制限ストッパーの取付作業を容易に行うことができる。
【００２７】
さらに、固定部材に制限アームを枢支した支持軸の下方外周側位置に、回動自在に支持された制限アームの外周側への回転を規制する回転規制片を備えているので、開放制限ストッパーにより開放制限を行わない場合などに、制限アームが無駄に回転して右縦框３４に接触して衝突音の発生や傷付きなどを防止することができる。
【００２８】
なお、本実施形態の開放制限ストッパーにおいては、固定部材は上下二段の長ネジ孔及びネジ孔を介して固定されているが、いずれか一方を固定するだけでも制限アームのずれを防止することができ、また、召合框に当接する当接部としては、当接部もしくは肩部のいずれか一方を設けるだけも良い。
【符号の説明】
【００２９】
１        ：枠体
１１      ：上枠
１２      ：下枠
１３      ：右縦枠
１４      ：右縦枠
２        ：内障子
２１      ：上框
２２      ：下框
２３      ：左縦框
２４      ：右縦框
２５      ：パネル体
３        ：外障子
３１      ：上框
３２      ：下框
３３      ：左縦框
３４      ：右縦框
３４１    ：中空本体部
３４１ａ  ：内周壁
３４１ｂ  ：外周壁
３４１ｃ  ：室内壁
３４１ｄ  ：室外壁
３４１ｅ  ：開口
３４１ｆ  ：長ネジ孔
３４１ｇ  ：煙返し片
３４２    ：パネル間口
３４２ａ  ：室内側壁部
３４２ｂ  ：室外側壁部
３４２ｃ  ：係止片
３４２ｄ  ：係止片
３４２ｅ  ：切欠部
３５      ：パネル体
５        ：クレセント部
５１      ：クレセント
５１ａ    ：長ネジ孔
５１ｂ    ：長ネジ孔
５１１    ：係合部
５２      ：固定台座
５２１    ：固定板部
５２１ａ  ：長ネジ孔
５２１ｂ  ：丸ネジ孔
５２２    ：ピン支持部
５２２ａ  ：ピン
５２２ｂ  ：ピン頭部
６        ：クレセント受け部
６１      ：固定部材
６１１    ：挿入部
６１１ａ  ：幅狭部
６１１ｂ  ：肩部
６１１ｃ  ：ネジ孔
６１１ｄ  ：段部
６１２    ：連結部
６１２ａ  ：張出部
６１２ｂ  ：張出部
６１２ｃ  ：見込み片部
６１２ｄ  ：回転規制片
６１２ｅ  ：長ネジ孔
６１３    ：支持軸
６２      ：錠受け部
６２１    ：錠受け本体部
６２１ａ  ：ネジ孔
６２１ｂ  ：リブ
６２２    ：開口部
６２３    ：係合爪
７        ：制限アーム
７１      ：アーム本体部
７１１    ：スライド溝部
７１１ａ  ：幅広部
７１１ｂ  ：スライド部
７１１ｃ  ：先端部
７２      ：アーム係合部
８        ：グレイチングチャンネル
【図１】
0006637785.tif 000002
【図２】
0006637785.tif 000003
【図３】
0006637785.tif 000004
【図４】
0006637785.tif 000005
【図５】
0006637785.tif 000006
【図６】
0006637785.tif 000007
【図７】
0006637785.tif 000008
【図８】
0006637785.tif 000009